(57)【特許請求の範囲】
【請求項１】
所定空間の残響を抑制する残響抑制方法において、
前記所定空間に気体が充填されたバルーンを１つ以上設置して前記バルーンの大きさに応じて前記所定空間の残響を抑制することを特徴とする残響抑制方法。
【請求項２】
前記所定空間に設置される前記バルーンは、所望する残響抑制量に応じて前記バルーンの大きさを選択し、
前記所望する残響抑制量に応じて前記バルーンに充填する気体の種類を選択することを特徴とする請求項１記載の残響抑制方法。
【請求項３】
前記バルーンに充填する気体は、ヘリウムガスであることを特徴とする請求項１又は２記載の残響抑制方法。
【請求項４】
気体が充填されたバルーンが１つ以上設置されており、前記バルーンの大きさに応じて室内の残響を抑制することを特徴とするスタジオ。
【請求項５】
前記バルーンは、大きさ及び充填した気体の種類に応じて室内の残響を抑制することを特徴とする請求項４記載のスタジオ。
【請求項６】
前記バルーンに充填した気体は、ヘリウムガスであることを特徴とする請求項４又は５記載のスタジオ。
【発明の詳細な説明】
【０００１】
【発明の属する技術分野】
本発明は、残響抑制方法及びその方法を利用するスタジオに係り、特に低周波領域の残響を抑制する残響抑制方法及びその方法を利用するスタジオに関する。
【０００２】
【従来の技術】
例えば放送局では、エントランスロビー，イベントホールなどを情報番組の公開スタジオとして活用することがある。このようなエントランスロビー，イベントホール等は、高い天井を有する大空間である場合、残響時間が長くなる。残響時間が長くなると、例えば拡声用スピーカからの再生音が残響付加されることにより音声の明瞭性が劣化し、収録されたインタビュー等の音声が聞き取り難くなる。また、残響によりハウリングマージン（Howling Margin）が狭くなる。したがって、エントランスロビー，イベントホールなどを情報番組の公開スタジオとして活用する場合、残響を抑制することが必要であった。
【０００３】
従来の残響抑制方法としては、建築吸音材による方法と電気的処理による方法とがある。建築吸音材による方法は、多数の微細な孔をもつ多孔質材などの吸音材を建築施工時に壁面，天井面に取り付けるものであり、室内の設計段階からその効果を想定して内装を設計・検討する。また、電気的処理による方法は、例えば逆フィルタ処理などにより電気的に吸音するものであり、特定の受音エリアを対象としたものである。
【０００４】
【発明が解決しようとする課題】
しかしながら、従来の建築吸音材による残響抑制方法は、室内の設計段階からその効果を想定して内装を設計・検討する必要があり、既設建物の残響を抑制する為には改修工事を伴うという問題があった。特に、エントランスロビー，イベントホール等の高い天井を有する大空間で音声の明瞭性劣化の原因となる低周波領域（例えば、５００Ｈｚ以下）の残響を抑制することは、内装改修工事程度では基本的に不可能であり、大規模な改修工事が必要であった。
【０００５】
また、従来の電気的処理による残響抑制方法は、特定の受音エリアを対象とするものであり、エントランスロビー，イベントホール等の高い天井を有する大空間全体で残響を抑制することが困難であるという問題があった。したがって、例えば拡声用スピーカからの再生音の周波数特性や再生レベルを調整して残響を抑制する必要があった。
【０００６】
このように、既存のエントランスロビー，イベントホール等の高い天井を有する大空間を公開スタジオやイベント会場として活用する場合に、簡便に低周波領域の残響を抑制する方法が求められていた。
【０００７】
本発明は、上記の点に鑑みなされたもので、低周波領域の過度な残響を簡便に抑制することができ、空間の美観を損なうことなく残響を抑制することが可能な残響抑制方法及びその方法を利用するスタジオを提供することを目的とする。
【０００８】
【課題を解決するための手段】
そこで、上記課題を解決するため、本発明は、所定空間の残響を抑制する残響抑制方法において、前記所定空間に気体が充填されたバルーンを１つ以上設置して前記バルーンの大きさに応じて前記所定空間の残響を抑制することを特徴とする。
【０００９】
このような残響抑制方法では、気体が充填されたバルーンを設置するだけで所定空間の残響を抑制することができる為、大規模な改修工事などを行うことなく所定空間の残響を簡便に抑制することができる。したがって、エントランスロビー，イベントホール等の高い天井を有する空間で簡便に残響を抑制することが可能となる。
【００１０】
また、様々な大きさ，色のバルーンを用いることで所定空間の美観を損なうことなく残響を抑制することができる為、収録，イベント，観客の心理に障害を与えること無く残響を抑制することが可能となる。以上により、既存のエントランスロビー，イベントホール等の高い天井を有する大空間を公開スタジオやイベント会場として活用することが極めて容易となる。
【００１１】
また、本発明は、前記所定空間に設置される前記バルーンが、所望する残響抑制量に応じて前記バルーンの大きさを選択し、前記所望する残響抑制量に応じて前記バルーンに充填する気体の種類を選択することを特徴とする。
【００１２】
このような残響抑制方法では、バルーンに充填する気体の種類及び大きさによって残響抑制量をきめ細かく調整することが可能である。
【００１３】
また、本発明は、前記バルーンに充填する気体が、ヘリウムガスであることを特徴とする。
【００１４】
このような残響抑制方法では、バルーンに充填する気体の種類をヘリウムガスとすることで、残響時間を効率良く低減することができる。つまり、バルーンに充填する気体の種類をヘリウムガスとすることで、効率良く吸音することが可能となる。
【００１５】
また、上記課題を解決する為、本発明は、気体が充填されたバルーンが１つ以上設置されており、前記バルーンの大きさに応じて室内の残響を抑制することを特徴とする。
【００１６】
このようなスタジオでは、バルーンの緩衝作用による音波の吸収により、気体が充填されたバルーンを設置するだけで残響を抑制することができる。つまり、大規模な改修工事などを行うことなくスタジオの残響を簡便に抑制することができる。したがって、エントランスロビー，イベントホール等の高い天井を有する空間で簡便に残響を抑制することが可能となる。
【００１７】
また、様々な大きさ，色のバルーンを用いることでスタジオの美観を損なうことなく残響を抑制することができる為、収録，イベント，観客の心理に障害を与えること無く残響を抑制することが可能となる。以上により、既存のエントランスロビー，イベントホール等の高い天井を有する空間をスタジオとして活用することが極めて容易となる。
【００１８】
また、本発明は、前記バルーンが、大きさ及び充填した気体の種類に応じて室内の残響を抑制することを特徴とする。
【００１９】
このようなスタジオでは、バルーンに充填する気体の種類及び大きさによって残響抑制量をきめ細かく調整することが可能である。
【００２０】
また、本発明は、前記バルーンに充填した気体が、ヘリウムガスであることを特徴とする。
【００２１】
このようなスタジオでは、バルーンに充填する気体の種類をヘリウムガスとすることで、残響時間を効率良く低減することができる。つまり、バルーンに充填する気体の種類をヘリウムガスとすることで、効率良く吸音することが可能となる。
【００２２】
【発明の実施の形態】
次に、本発明の実施の形態について図面に基づいて説明する。なお、本実施例では、本発明の残響抑制方法をエントランスロビーに適用する例について説明するが、他のイベントホール，スタジオなど残響を抑制する必要がある様々な空間に適用できる。
【００２３】
図１は、本発明の残響抑制方法を利用するエントランスロビーの一実施例の断面図を示す。なお、図１（ａ）はエントランスロビーを上方向から見た上断面図である。また、図１（ｂ）はエントランスロビーを横方向から見た縦断面図である。
【００２４】
図１のエントランスロビーには、気体（例えば、ヘリウムガス）を充填した８個のバルーン１ａ〜１ｈが設置されている。バルーン１ａ〜１ｈは、例えば床から５．５ｍの高さに浮いた状態である。バルーン１ａ〜１ｈの色は、適宜選択することができるので、エントランスロビーの美観を損なうことがない。なお、バルーン１ａ〜１ｈは、充填する気体の種類及び大きさを選択して用いることができる。
【００２５】
また、図１のエントランスロビーには、音源２，受音点３，ステージ４が含まれる。音源２は、例えば拡声用スピーカなどで構成され、インタビュー等の音声を再生する。また、受音点３は例えばマイクなどで構成され、音源２からの再生音を受音する。
【００２６】
図１のように、バルーン１ａ〜１ｈを設置したエントランスロビーでは、バルーン１ａ〜１ｈにより吸音効果が得られる。これは、バルーンによる音波の緩衝作用により生じる効果である。したがって、バルーン１ａ〜１ｈを設置したエントランスロビーでは、音声の明瞭性劣化の原因となる低周波領域（例えば、１ｋＨｚ以下）の残響を抑制することができる。
【００２７】
以下、バルーンの大きさ及びバルーンの内部に充填する気体の種類に応じた残響抑制量の違いについて順次説明していく。なお、図２及び図３はピンクノイズ等により残響時間を測定することができる。図２は、バルーンの大きさによる残響抑制量の違いの一例について説明する図を示す。
【００２８】
図２中、「○」は残響室内にバルーンを設置しない残響室空状態での残響時間を周波数毎に表している。「■」は、残響室内にヘリウムガスが充填された直径１．６ｍのバルーンを設置した状態での残響時間を周波数毎に表している。「△」は、残響室内にヘリウムガスが充填された直径２．５ｍのバルーンを設置した状態での残響時間を周波数毎に表している。
【００２９】
図２に示されているように、残響室内にヘリウムガスが充填された直径１．６ｍ又は２．５ｍのバルーンを設置した状態では、残響室にバルーンを設置しない残響室空状態に比べて低音域〜中音域（例えば、１２５Ｈｚ〜１ｋＨｚ）の残響時間が低減していることが分かる。また、残響室内にヘリウムガスが充填された直径２．５ｍのバルーンを設置した状態では、残響室にヘリウムガスが充填された直径１．６ｍのバルーンを設置した状態に比べて低音域〜中音域の残響時間が低減していることが分かる。
【００３０】
したがって、残響室内にヘリウムガスが充填された直径１．６ｍ又は２．５ｍのバルーンを設置した状態では、残響室にバルーンを設置しない残響室空状態に比べて低音域〜中音域（例えば、１２５Ｈｚ〜１ｋＨｚ）を多く吸音していることが分かる。また、残響室内にヘリウムガスが充填された直径２．５ｍのバルーンを設置した状態では、残響室にヘリウムガスが充填された直径１．６ｍのバルーンを設置した状態に比べて低音域〜中音域を多く吸音していることが分かる。
【００３１】
図３は、バルーンに充填する気体による残響抑制量の違いの一例について説明する図を示す。図３中、「○」は残響室内にバルーンを設置しない残響室空状態での残響時間を周波数毎に表している。「■」は、残響室内にヘリウムガスが充填された直径１．６ｍのバルーンを設置した状態での残響時間を周波数毎に表している。「△」は、残響室内に空気が充填された直径１．６ｍのバルーンを設置した状態での残響時間を周波数毎に表している。
【００３２】
図３に示されているように、残響室内にヘリウムガス又は空気が充填された直径１．６ｍのバルーンを設置した状態では、残響室にバルーンを設置しない残響室空状態に比べて低音域〜中音域（例えば、１２５Ｈｚ〜１ｋＨｚ）の残響時間が低減していることが分かる。また、残響室内にヘリウムガスが充填された直径１．６ｍのバルーンを設置した状態では、残響室に空気が充填された直径１．６ｍのバルーンを設置した状態に比べて低音域〜中音域の残響時間が低減していることが分かる。つまり、空気が充填されたバルーンは、ヘリウムガスが充填されたバルーンほど低音域の残響時間を低減しないが、残響室空状態に比べて低音域〜中音域の残響時間を低減している。
【００３３】
したがって、残響室内に空気が充填された直径１．６ｍのバルーンを設置した状態では、残響室内にヘリウムガスが充填された直径１．６ｍのバルーンを設置した状態ほどではないが、残響室にバルーンを設置しない残響室空状態に比べて低音域〜中音域を多く吸音していることが分かる。
【００３４】
図４は、バルーンの有無によるエントランスロビーの残響抑制量の違いの一例について説明する図を示す。なお、図４はバンドノイズ等により残響時間を測定することができる。
【００３５】
図４中、「○」はエントランスロビーにバルーンを設置しない状態での残響時間を周波数毎に表している。「■」は、例えば図１に示すような約２０００ｍ３のエントランスロビーにヘリウムガスが充填された直径２．５ｍのバルーン１ａ〜１ｈを床から５．５ｍの高さに浮かした状態での残響時間を周波数毎に表している。
【００３６】
図４に示されているように、エントランスロビーにバルーン１ａ〜１ｈを設置した状態では、エントランスロビーにバルーンを設置しない状態に比べて低音域〜中音域の残響時間が低減していることが分かる。具体的に説明すると、エントランスロビーにバルーンを設置しない状態では残響時間が１２５Ｈｚ〜５００Ｈｚで約２．０〜２．２秒となっているのに対し、エントランスロビーにバルーン１ａ〜１ｈを設置した状態では残響時間が約０．４秒ほど低減している。
【００３７】
したがって、エントランスロビーにヘリウムガスが充填された直径２．５ｍのバルーンを設置した状態では、エントランスロビーにバルーンを設置しない状態に比べて低音域〜中音域を多く吸音していることが分かる。この結果、エントランスロビーのハウリングマージンは６〜８ｄＢ程度増加する。
【００３８】
また、エントランスロビー，イベントホール等の高い天井を有する大空間で音声の明瞭性劣化の原因となる低周波領域（例えば、５００Ｈｚ以下）の残響を抑制することができるので、収録されたインタビュー等の音声が聞き取り難くなることがない。
【００３９】
以上、本発明の残響抑制方法及びその方法を利用するスタジオとしてのエントランスロビーは、バルーンに気体を充填するだけで大規模な改修工事などの所作を必要とせず、低周波領域の残響を簡便に抑制することが可能である。また、本発明の残響抑制方法及びその方法を利用するスタジオとしてのエントランスホールは、バルーンに充填する気体の種類及び大きさによって残響抑制量を調整することが可能である。
【００４０】
さらに、様々な大きさ，色のバルーンを用いることでエントランスロビーの美観を損なうことなく残響を抑制することができる。なお、エントランスロビーにバルーンを設置しておいたとしてもバルーンに残響抑制の為の所作があるということが視覚的にわかりづらく、収録，イベント，観客の心理に障害を与えることがない。
【００４１】
本実施例では、バルーンのみを利用して残響を抑制しているが、更に布地による残響の抑制を加えることで更なる効果を上げることもできる。バルーンのみを利用して残響を抑制するか、バルーン及び布地を利用して残響を抑制するかは、適宜選択すればよい。
【００４２】
【発明の効果】
上述の如く、本発明によれば、気体が充填されたバルーンを設置するだけで所定空間の残響を抑制することができる為、大規模な改修工事などを行うことなく所定空間の残響を簡便に抑制することができる。したがって、エントランスロビー，イベントホール等の高い天井を有する空間で簡便に残響を抑制することが可能となる。
【００４３】
また、様々な大きさ，色のバルーンを用いることで所定空間の美観を損なうことなく残響を抑制することができる為、収録，イベント，観客の心理に障害を与えること無く残響を抑制することが可能となる。以上により、既存のエントランスロビー，イベントホール等の高い天井を有する大空間を公開スタジオやイベント会場として活用することが極めて容易となる
【図面の簡単な説明】
【図１】本発明の残響抑制方法を利用するエントランスロビーの一実施例の断面図である。
【図２】バルーンの大きさによる残響抑制量の違いの一例について説明する図である。
【図３】バルーンに充填する気体による残響抑制量の違いの一例について説明する図である。
【図４】バルーンの有無によるエントランスロビーの残響抑制量の違いの一例について説明する図である。
【符号の説明】
１ａ〜１ｈ    バルーン
２    音源
３    受音点
４    ステージ
【図１】
0004191901.tif 000002
【図２】
0004191901.tif 000003
【図３】
0004191901.tif 000004
【図４】
0004191901.tif 000005